(57)【要約】      （修正有）【課題】ベランダやバルコニー等の限られたスペースを、ガーデニング並びに快適な生活空間としても有効に活用できるベランダ用緑化カウンターテーブルを提供する。【解決手段】耐根シート２と保護マット３を敷設し、植栽土壌４を収容し天然芝５を植栽した横長矩形函状のカウンター本体１と、このカウンター本体１を載置固定すると共にカウンター本体１を地面から所定の高さに設置する架台８と、カウンター本体１からの排水管９と、カウンター本体１の下方空間を下端が奥側になるように斜めに被覆する正面化粧板１０とから構成し、カウンター本体１の少なくとも一部分を区画し、草花を植生した花壇部と野菜を植生した菜園部を付設し、育成土壌として腐植客土（泥炭）を使用する。【選択図】図２
0003146859.tif 000002
【実用新案登録請求の範囲】
【請求項１】
耐根シートと保護マットを敷設し、植栽土壌を収容し天然芝を植栽した横長矩形函状のカウンター本体と、このカウンター本体を載置固定すると共にカウンター本体を地面から所定の高さに設置する架台と、前記カウンター本体からの排水手段と、カウンター本体の下方空間を下端が奥側になるように斜めに被覆する正面化粧板とからなることを特徴とする緑化カウンターテーブル。
【請求項２】
カウンター本体の少なくとも一部分を区画し、草花を植生した花壇部と野菜を植生した菜園部を付設することを特徴とする請求項１記載のベランダ用緑化カウンターテーブル。
【請求項３】
育成土壌として腐植客土（泥炭）を使用したことを特徴とする請求項１又は請求項２記載のベランダ用緑化カウンターテーブル。
【考案の詳細な説明】
【技術分野】
【０００１】
本考案は、住宅のベランダ等に設置して使用するカウンターテーブルに関し、特にテーブル自体に草花や野菜を植栽してガーデニングも同時に楽しむことができるベランダ用緑化カウンターテーブルに関するものである。
【背景技術】
【０００２】
近年、ベランダやバルコニー、テラス等を利用してガーデニングを楽しむ人が増えてきている。一方、これらのスペースを利用して食事やホームパーティ等を楽しむことも増えている。しかしながら、とくに集合住宅においては、ベランダやバルコニーの限られた空間で、これら双方を満足するのは甚だ困難なことである。
【０００３】
そこで、家屋内のテラスのキッチンに対応して屋外にテラスを設け、これらを仕切る外壁に設けたワイドオープンサッシを介してキッチンとテラスを開口部で連通し、そのテラス側に花壇を設け、花壇で栽培している植物をキッチン側で摘み取って料理に利用したり、キッチン側から植物に水を与えられるようにしたテラス付き住宅が提案されている（特許文献１参照。）。また、固定台に立設された支柱の上端にテーブルを設けて、テーブルの下方に車椅子侵入空間を形成し、テーブルの上面に土壌を収容する凹部を形成し、テーブルの上面の高さを、車椅子使用者のほぼ腹部の高さとし、テーブルの上面に植物を植栽したり植木鉢を載置し、車椅子利用者が草花の植栽等ができるようにした車椅子利用者用花壇等も提案されている（例えば、特許文献２並びに特許文献３参照。）。
【０００４】
【特許文献１】特開２００２−１２１９０７号公報
【特許文献２】特開平１１−１１３４０３号公報
【特許文献３】特開２００３−２３８７０号公報
【考案の開示】
【考案が解決しようとする課題】
【０００５】
本考案は、上記従来の技術の課題に鑑み、集合住宅等におけるベランダやバルコニー等の限られたスペースを、ガーデニング並びに快適な生活空間としても有効に活用できるベランダ用緑化カウンターテーブルを提供することを目的とするものである。
【課題を解決するための手段】
【０００６】
そこで、本考案のベランダ用緑化カウンターテーブルは、耐根シートと保護マットを敷設し、植栽土壌を収容し天然芝を植栽した横長矩形函状のカウンター本体と、このカウンター本体を載置固定すると共にカウンター本体を地面から所定の高さに設置する架台と、前記カウンター本体からの排水手段と、カウンター本体の下方空間を下端が奥側になるように斜めに被覆する正面化粧板とからなることを第１の特徴し、カウンター本体の少なくとも一部分を区画し、草花を植生した花壇部と野菜を植生した菜園部を付設することを第２の特徴とし、また、育成土壌として腐植客土（泥炭）を使用したことを第３の特徴とする。
【考案の効果】
【０００７】
本考案によれば、以下の優れた効果がある。
（１）草花や野菜をベランダの上部で栽培するので日照時間を長く得ることができ、植物を優良に育成できる。
（２）育成土壌として泥炭（ルーフソイル：商品名：株式会社マサキ・エンヴェック社製）を使用しているので、土厚１０ｃｍ程度の薄い地層で様々な野菜の栽培が可能になる。
（３）テーブルの足元部分は化粧板で下端が奥側になるように斜めに被覆したので外観も美しく安全である。
（４）ベランダを明るく快適なカーデニング空間や生活空間として利用できる。
（５）菜園部に植栽したハーブや野菜を摘み取って料理に利用することができる。
【考案を実施するための最良の形態】
【０００８】
本考案に係る実施形態を図面に示す実施例に従って詳述する。図１は本考案に係るベランダに緑化カウンターテーブルを設置した状態の一実施例を示す平面図、図２は図１のＡ−Ａ線断面図である。
【実施例】
【０００９】
本考案に係る緑化カウンターテーブル１を設置したベランダＶを図１乃至図２に示す。このベランダＶは、例えば集合住居の任意の部屋部から屋外に張り出して設けられ、外壁Ｗに囲まれて床テラスＴ部分が設けられる構造である。
【００１０】
横長矩形函状のプランター様に形成されたカウンター本体１には、その内底に耐根シート２と保護マット３を敷設して積層し、植栽土壌４を収容し、この植栽土壌４に天然芝５が植栽されている。植栽土壌４としては、とくに限定されないが、腐植客土（泥炭）等を使用するのが良い。泥炭を用いることで、土厚１０ｃｍ程度の薄い地層で様々な野菜の栽培が可能になる。
【００１１】
腐植客土としては、特殊な化学処理と微生物処理を施したものを用い、化学処理では泥炭中の有害物質を除去し、微生物処理では微生物溶剤を混合する。腐植客土は、高い吸水率とイオン交換率を示し保水性と保肥力に優れ、酸塩基に対し緩衝作用を有している。また、腐植客土は長期間土壌の性質が変性し難く、栽培床が硬く締まることもない。そのため、植物の根張りが良好になり、栽培に適した保水力、透水性、保肥性、通気性を良好に確保できる。尚、本実施例では、ルーフソイル（商品名：株式会社マサキ・エンヴェック製）を使用した。
【００１２】
また、カウンター本体１の任意箇所には、テラコッタタイル製のランチョンマット６を敷き、その上をランチスペース、ティースペース、バーとして利用できるようにされている。さらに、ランチョンマット６の近傍にはソーラー蓄電式の照明灯７が配置されている。
【００１３】
このカウンター本体１は、ガードフェンスＦよりも下方で、カウンター本体１を地面（床テラス）から所定の高さに設置する架台８上に載置固定されており、本実施例ではベランダＶの外壁Ｗの上端面の高さとカウンター本体１の上面とがほぼ面一になるように設定されている。尚、カウンター本体１からの排水溝１３に連通する排水管９とカウンター本体１の下方空間を被覆するように正面化粧板１０が下方奥側に向かって斜めに取り付けられる。この正面化粧板１０を設けたことにより、美観が向上することは無論のこと、万一のカウンター落下等の事故に対しても足元が安全であり、着席した状態での足の納まりも良く使い勝手がよい。
【００１４】
また、カウンター本体１の少なくとも一部分を区画して植物育成部とするとなお良い。本実施例では、カウンター本体１の左右に季節の花々を植生した花壇部１１と野菜Ｖを植生した菜園部１２を区画して付設した。ここで、菜園部１２には、例えば、バジル等のハーブ類、トマト、枝豆、ナス、キュウリを植栽する。このように、花壇部１１と菜園部１２を設けることで、季節の草花の鑑賞や新鮮な野菜の食事を楽しむことができる。
【００１５】
尚、本考案は、上記実施例に限定されるものではなく、この考案の要旨の範囲内で適宜変更し得ることは言うまでもない。例えば、カウンターの長さやベタンダでの設置位置、あるいは菜園部や花壇部の数や大きさは任意である。
【図面の簡単な説明】
【００１６】
【図１】本考案に係るベランダに緑化カウンターテーブルを設置した状態の一実施例を示す平面図である。
【図２】図１のＡ−Ａ線断面図である。
【符号の説明】
【００１７】
１    カウンターテーブル本体
２    耐根シート
３    保護マット
４    植栽土壌（腐植客土）
５    芝
６    ランチョンマット（テラコッタタイル）
７    照明灯
８    架台
９    排水管
１０  正面化粧板
１１  花壇部
１２  菜園部
１３  排水溝
Ｖ    ベランダ又はバルコニー
Ｔ    テラス
Ｗ    外壁
Ｆ    ガードフェンス
【図１】
0003146859.tif 000003
【図２】
0003146859.tif 000004